(57)【特許請求の範囲】
【請求項１】
ウェスト部外面の背側に面ファスナーを貼り付けたベルト接着面を設け、ウェスト部に先端が背側に向くように巻き付けられる締付けベルトを設け、この締付けベルトの先端に前記ベルト接着面に対し着脱自在に接着する面ファスナーの接着部を設け、前記ベルト接着面の上下幅を、締付けベルトの上下幅よりも大きく形成した水作業用オーバーズボンにおいて、前記ウェスト部外面の背側に、前記ベルト接着面を覆う大きさのカバー片を設け、このカバー片の裏面にベルト接着面と接着する面ファスナーの結合部を設けたことを特徴とする水作業用オーバーズボン。
【発明の詳細な説明】
【０００１】
【発明の属する技術分野】
この発明は、漁師や水産加工業者など、水に濡れる作業に従事する人が、着衣の上から着用する水作業用オーバーズボンに関するものである。
【０００２】
【従来の技術】
この種のオーバーズボンとしては、図７（ａ）乃至図７（ｃ）に示すように、ウェスト部１に先端が背側に向くように巻き付けられる締付けベルト２を設けたものがある。このオーバーズボンには、ウェスト部１外面の背側に、締付けベルト２の幅よりも広幅の、面ファスナーを貼り付けたベルト接着面４が設けられており、このベルト接着面４に、締付けベルト２先端の面ファスナーの接着部９、９を着脱自在に接着するようにしている。
【０００３】
この水作業用オーバーズボンは、締付けベルト２を背側に向けて引っ張って、その先端を背側のベルト接着面４に接着することにより、容易にウェスト部１をしぼることができるので、体型の異なるいろんな人の体にフィットさせることができる。
【０００４】
【発明が解決しようとする課題】
ところが、この水作業用オーバーズボンには、着用後、締付けベルトに他の物が引っかかったりすると、締付けベルトとベルト接着面との接着が面ファスナーであるため、締付けベルトが簡単にはずれてしまうという問題があった。
【０００５】
そこで、この発明の課題は、締付けベルトがウェスト部から簡単にはずれない水作業用オーバーズボンを得ることにある。
【０００６】
【課題を解決するための手段】
こうした課題を解決するため、この発明では、前述の水作業用オーバーズボンにおいて、前記ウェスト部外面の背側に、前記ベルト接着面を覆う大きさのカバー片を設け、このカバー片の裏面にベルト接着面と接着する面ファスナーの結合部を設けることとしたのである。
【０００７】
このような水作業用オーバーズボンは、締付けベルトの先端をウェスト部の背側に接着させて留めた後、カバー片でベルト接着面を覆うと、カバー片裏面の結合部がベルト接着面に接着し、締付けベルトをカバー片とベルト接着面との間にはさんで固定できるので、締付けベルトは、軽く引っ張ったぐらいではウェスト部からはずれなくなる。
【０００８】
【発明の実施の形態】
図１（Ａ）および図１（Ｂ）に示す水作業用オーバーズボンは、表地と裏地とのそれぞれが、ともに耐油性、耐寒性を有するポリ塩化ビニルで形成されており、裏地には、ポリエステルの布張りが施されている。このオーバーズボンのウェスト部１には締付けベルト２が取り付けられており、ウェスト部１腹側の上縁には、着用者の腹と脇腹とを覆う大きさを有し、ポリウレタン製の弾性パッドからなる胸当て部３が設けられている。
【０００９】
ウェスト部１外面の背側には、面ファスナーを貼り付けたベルト接着面４と、このベルト接着面４を外面から覆うカバー片５とが設けられている。ベルト接着面４は、面ファスナーを貼り付けて形成されている。カバー片５は、その上下幅がベルト接着面４を覆う大きさを有し、カバー片５の裏面には、全面にわたってベルト接着面４に対し接着する面ファスナーからなる結合部６が設けられている。また、ウェスト部１背側の内面には、締付けベルト２を収容するベルト収容ポケット７が設けられている。ベルト収容ポケット７には、ファスナーを設けた開口部８が形成されており、ウェスト部１の内面において開閉可能となっている。
【００１０】
締付けベルト２は、撥水性を有する帯状の合成樹脂から形成されており、その先端それぞれには、前記ベルト接着面４と着脱自在に接着する面ファスナーの接着部９、９が両面にわたって設けられている。これら締付けベルト２の先端は、前記ベルト収容ポケット７の両端に設けられた、ウェスト部１の外面に開口するベルト引き出し孔１０、１０から外面側に引き出され、ウェスト部１に複数形成されたベルト挿通孔１１に、ウェスト部１の外面側から内面側、内面側から外面側へと交互に挿通された後、ウェスト部１の両脇部分から背側に向けて巻き付けられ、各接着部９、９をベルト接着面４に接着して留めるようになっている。
【００１１】
また、図２に示すように、前記ベルト収容ポケット７内に収められた締付けベルト２の中間部には、ゴムベルト製の伸縮部１２が設けられている。この伸縮部１２の両端部には、前記ベルト引き出し孔１０、１０より大きな径を有する矩形リング１３、１３が取り付けられており、この矩形リング１３、１３によって、伸縮部１２はベルト収容ポケット７から抜け出さないようになっている。
【００１２】
このようなオーバーズボンは、締付けベルト２先端の接着部９、９をウェスト部１の背側で留めた後、カバー片５でベルト接着面４を覆うと、カバー片５裏面の結合部６がベルト接着面４に接着するので、図３乃至図５に示すように、締付けベルト２をカバー片５とベルト接着面４との間にはさんで固定できる。この結果、締付けベルト２は、軽く引っ張ったぐらいではウェスト部１からはずれなくなり、締付けベルト２を締めなおすため、不必要に作業を中断せずにすむ。
【００１３】
また、作業中、締付けベルト５に機械の作動部位が引っかかったりした場合には、接着部９がカバー片５とともにベルト接着面４から分離し、締付けベルト２の先端がウェスト部１から引きはがされて離脱するので、着用者の体がつり上げられたり急激に引っぱられたりするおそれも少ない。
【００１４】
締付けベルト２が汚れたり傷んだりした場合には、ベルト収容ポケット７の開口部８を開けて締付けベルト２を引き出すことができるので、締付けベルト２の洗浄や交換を容易に行うこともできる。
【００１５】
なお、図６に示すように、前記胸当て部３は、着用中、着用者の体に沿って湾曲し、肩かけベルトがなくても自立するので、作業中、前記作動部材が肩かけベルトに引っかかることがない。胸当て部３は、着用者が体を前傾させたときには、着用者の胸部に大きな抵抗を与えることなく着用者の体に沿って湾曲し、着用者が体をもとに戻したときには再び自立する。弾性パッドとしては、弾性を有し、曲げ作用の繰り返しにある程度耐えることができる材質であれば、ポリウレタン以外のものを使用してもよい。また、胸当て部３は、必要なければ特に設けなくてもよい。
【００１６】
【発明の効果】
以上説明したように、この発明に係る水作業用オーバーズボンは、軽く引っ張ったぐらいでは、締付けベルトがウェスト部からはずれることはないが、急激に引っ張った場合には、締付けベルトの両端部がカバー片とともにウェスト部から分離させることができる。したがって、水作業が不必要に中断されず、作業効率の低下を防止するとともに、着用者の体が機械の作動部位につり上げられるおそれも少なく、水作業における安全性の向上にも寄与する。
【図面の簡単な説明】
【図１】（Ａ）は、この発明に係る水作業用オーバーズボンの一実施例を示す前方からの斜視図、（Ｂ）は、同後方からの斜視図
【図２】ベルト収容ポケットを開けた状態を示す同上の拡大斜視図
【図３】カバー片の装着状態を示す同上の後方からの斜視図
【図４】（Ａ）は、同上の使用状態を示す前方からの斜視図、（Ｂ）は、同後方からの斜視図
【図５】図４に示すＶ−Ｖ線に沿った断面図
【図６】図１に示す水作業用オーバーズボンの着用状態を示す後方からの斜視図
【図７】（ａ）は、従来の水作業用オーバーズボンを示す側面図、（ｂ）は、同背面図、（ｃ）は、同正面図
【符号の説明】
１  ウェスト部
２  締付けベルト
３  胸当て部
４  ベルト接着面
５  カバー片
６  結合部
７  ベルト収容ポケット
８  開口部
９  接着部
１０  ベルト引き出し孔
１１  ベルト挿通孔
１２  伸縮部
１３  矩形リング
【図１】
0003722941.tif 000002
【図２】
0003722941.tif 000003
【図３】
0003722941.tif 000004
【図４】
0003722941.tif 000005
【図５】
0003722941.tif 000006
【図６】
0003722941.tif 000007
【図７】
0003722941.tif 000008